(57)【要約】      （修正有）【課題】成型品の一部を破壊しなくともコア層の材質を外観から確認することができるようにしたプラスチック成型品を提供する。【解決手段】プラスチック成型品は、少なくとも一部が表層であるスキン層３０ｂと内層であるコア層３０ａとからなり、ゲート部３０にコア層の再生プラスチック材を露出させる。コア層の樹脂は、円形状に露出させてもよいし、円環状に露出させてもよい。上記構成とすることによってコア層の樹脂が表面に露出することになるので、コア層の材質を外観から確認することができる。また、ゲート部においてコア層の一部を露出させる構成としたから、射出成形と同時に容易に形成することができる。【選択図】図２
2005212122.tif 000002
【特許請求の範囲】
【請求項１】
少なくとも一部が表層であるスキン層と内層であるコア層とからなり、ゲート部にコア層の樹脂を露出させたことを特徴とするプラスチック成型品。
【請求項２】
コア層の樹脂が円形状に露出していることを特徴とする請求項１記載のプラスチック成型品。
【請求項３】
コア層の樹脂が円環状に露出していることを特徴とする請求項１記載のプラスチック成型品。
【請求項４】
コア層を再生プラスチック材により成型したことを特徴とする請求項１〜３のいずれか１項に記載のプラスチック成型品。
【請求項５】
プラスチック成型品がパレットであり、デッキボードのほぼ中央部に一点のゲート部を設けてなることを特徴とする請求項１〜３のいずれか１項に記載のプラスチック成型品。
【請求項６】
プラスチック成型品がコア層を再生プラスチック材により成型したパレットであり、デッキボードのほぼ中央部に一点のゲート部を設けてなることを特徴とする請求項１〜３のいずれか１項に記載のプラスチック成型品。
【発明の詳細な説明】
【技術分野】
【０００１】
この発明は、表層であるスキン層と内層であるコア層の二層構造からなるプラスチック成型品に係り、特に少なくとも一部が表層と内層の二層構造を有する、荷物を保管、運搬する際に使用するフォークリフト用のプラスチック製パレットのようなプラスチック成型品に関する。
【背景技術】
【０００２】
近年、自然環境保護の意識の高まりとともに、いわゆる容器包装リサイクル法（容器包装に係る分別収集及び再商品化の促進に関する法律）が施行されるなど、プラスチック製品のリサイクルの動きも強くなっている。これらのプラスチック成型品は、繰り返し再生して使用することが可能であり、バージン材料以外にも再生プラスチックが利用されるようになってきており、再生プラスチック材は多くの分野で利用されている。
【０００３】
再生プラスチック材は、主に、同一材質の製品を粉砕して得られた材料であり、再生プラスチック材のみをリサイクル材として利用する場合の他、他の再生プラスチック材やバージン材料と混合して使用される。しかしながら、再生プラスチック材は、既に着色されていることから、単独では使用し難いという問題がある。そこで、バージン材料に一定割合の再生プラスチック材を増量材として混合したり、サンドイッチ構造としてコア層に再生プラスチック材を利用する方法などが取られている。
【０００４】
一方、荷物の保管、運搬用のパレットの多くは、木製パレットに代わり耐水性、耐腐食性に優れているプラスチック製パレットが使用されている。また、従来のプラスチック製パレットでは、コストを低減するために、廃棄したプラスチック製品を再利用しており、その際、バージン材料に一定割合の再生プラスチック材を混合したり、スキン層にバージン材料を使用し再生プラスチック材をコア層に充填することが開示されている。例えば、特開２００３−１１９６９号公報記載のパレットがある。
【特許文献１】特開２００３−１１９６９号公報
【発明の開示】
【発明が解決しようとする課題】
【０００５】
しかしながら、再生プラスチック材を使用したサンドイッチ構造のプラスチック成型品を再度再生プラスチック材として利用する場合には次のような問題がある。例えば、バージン材料に一定割合の再生プラスチック材を混合した材料で全体が成型されている成型品においては、外観通りの材質であることが認識されるが、サンドイッチ構造によりコア層に再生プラスチック材を使用した成型品においては、外観からだけではコア層にどのような材質の再生プラスチック材が使用されているのかはもちろん、コア層とスキン層とからなるサンドイッチ構造なのかどうかも認識することができない。
【０００６】
このようにサンドイッチ構造のプラスチック成型品においては、実際に一部を破壊しないとコア層がどのような材質なのか、サンドイッチ構造の成型品なのかを確認することができないという問題がある。
【０００７】
この発明は、かかる現況に鑑みてなされたもので、成型品の一部を破壊しなくともコア層の材質を外観から確認することができるようにしたプラスチック成型品を提供することを目的とする。
【課題を解決するための手段】
【０００８】
この発明は上記目的を達成するために次のような構成とした。即ち、この発明に係るプラスチック成型品は、少なくとも一部が表層であるスキン層と内層であるコア層とからなり、ゲート部にコア層の樹脂を露出させたことを特徴とする。コア層の樹脂は、円形状に露出させてもよいし、円環状に露出させてもよい。前記コア層は、再生プラスチック材により成型することができる。
【０００９】
上記構成とすることによってコア層の樹脂が表面に露出することになるので、コア層の材質を外観から確認することができる。また、ゲート部においてコア層の一部を露出させる構成としたから、射出成型と同時に容易に円形状又は円環状に露出させることができる。
【００１０】
プラスチック成型品は、コア層を再生プラスチック材により成型したサンドイッチ構造のパレットとし、ゲート部は、デッキボードのほぼ中央部に一点のゲート部を設ける一点ゲート方式を用いることが好ましい。プラスチック成型品を大量に使用されているパレットとすることによって、再生する際にサンドイッチ構造のパレットか否かが外観から容易に識別することができる。
【発明の効果】
【００１１】
上記構成とすることによってコア層の樹脂が表面に露出することになるので、コア層の材質が表面層と同一材質か、異なる材質かが外観から確認することができる。従って、再生する際に再生プラスチック材としての用途を容易に決定することができる。
【発明を実施するための最良の形態】
【００１２】
以下に、この発明を図示する実施形態について詳細に説明する。図１は、プラスチック製の四方差しパレット１０であって、予め別途分割成型された上部成型部材１１と下部成型部材１３との２つの部品を溶着してなる。上部成型部材１１は上部デッキボード１５と桁１７ａ〜１７ｃとからなり、下部成型部材１３は下部デッキボード１９と桁２０ａ〜２０ｃとからなり、前記桁１７ａ〜１７ｃと桁２０a〜２０ｃの端面を突き合わせ溶着することによって成型される。
【００１３】
前記桁１７ａ〜１７ｃ及び桁２０ａ〜２０ｃは中空構造体であり、それぞれデッキボードの四隅部の桁１７ａ、２０ａとその中間部の桁１７ｂ、２０ｂ及び対角線上交差点に位置する中央部の桁１７ｃ、２０ｃからなる。前記桁１７ａ〜１７ｂ、桁２０ａ〜２０ｂと上部デッキボード１５、下部デッキボード１９で囲まれた空間をフォーク差込口２１としている。
【００１４】
上記プラスチック製パレットに用いる樹脂には、ポリエチレンやポリプロピレン等のポリオレフィン系樹脂を用いることができ、必要に応じて発泡剤、導電性フィラー、ガラス繊維、耐候性薬品、顔料等を１又は２以上を添加してもよい。
【００１５】
この発明では、下部デッキボード１９は、上部デッキボード１５と同一構成としてもよいが、桁の内側先端部で囲まれた部分を開口面としてもよい。上部デッキボード１５及び下部デッキボード１９は、天板２３と前記天板２３の下面に縦横に設けた図示しない補強リブとからなり、全体の高さは補強リブの高さ寸法で決まる。前記補強リブで囲まれた部分の天板２３の適所には、透孔２７、２８，２９が穿設されている。
【００１６】
ゲート部３０は、天板２３の略中央部に設けられており、一点ゲート方式による。この発明では、このゲート部３０を利用してコア層の樹脂を露出させ、コア層の材質を外観から確認するようにしたものである。図２及び図３は、ゲート部３０の平面図と断面図を示すものである。図から明らかなように、プラスチック製パレット１０は、コア層３０ａとスキン層３０ｂからなるサンドイッチ構造であって、二種類の樹脂によって成型されている。
【００１７】
図４は、一般に行われているコア層とスキン層の樹脂の射出速度と射出圧力の関係を示すグラフである。図から明らかなように、まず、スキン層の樹脂を金型内に射出し、僅かに遅れてコア層の樹脂をスキン層の樹脂よりも高い射出圧力で射出し、徐々に圧力を下げながらスキン層の樹脂よりも先に射出を完了する。スキン層の射出圧力は、コア層の圧力を下げた後に下げ、コア層の射出が完了した後にさらにスキン層の樹脂を射出して完了させる。
【００１８】
従って、パレット１０においても、初めにスキン層３０ｂを形成させる樹脂を金型内に射出し、その後、僅かに遅れてコア層３０ａを形成する樹脂を金型内に射出することによって、コア層３０ａをスキン層３０ｂで被覆した二層構造が構成される。
【００１９】
次に、図２及び図３に示すコア層を表面に露出させる射出成型について、図５〜図７に基づいて説明する。図２に示すコア層３０ａの樹脂を円形状に露出させるには、通常と同様に、ノズルにコア層３０ａとスキン層３０ｂの樹脂を充填しておき（図５参照）、まず、スキン層３０ｂの樹脂を金型３３内に射出する（図６参照）。次いで、コア層３０ａの樹脂の射出タイミングを僅かに遅らせてスキン層よりも高い射出圧力でコア層３０ａの樹脂を射出する。その後、コア層３０ａの圧力とスキン層３０ｂの圧力を徐々に下げながら、同じ圧力になるように調整しほぼ同時に射出を完了させる（図７参照）。
【００２０】
このように、コア層３０ａとスキン層３０ｂの樹脂とは、ほぼ同時に射出を完了することによって、コア層３０ａの樹脂を円形状に露出させることができる。
【００２１】
一方、図３に示すコア層３０ａの樹脂を円環状に露出させるには、スキン層３０ｂの射出圧力と射出完了のタイミングを調整する。即ち、ノズルにコア層３０ａとスキン層３０ｂの樹脂を充填しておき（図５参照）、まず、スキン層３０ｂの樹脂を金型３３内に射出する（図６参照）。次いで、コア層３０ａの樹脂の射出タイミングを僅かに遅らせてスキン層の樹脂よりも高い射出圧力でコア層３０ａの樹脂を射出する。その後、コア層３０ａの樹脂の圧力をスキン層３０ｂの樹脂の圧力よりも低くし、コア層３０ａの樹脂の射出をスキン層３０ｂの樹脂よりも僅かに早く完了させる（図７参照）。
【００２２】
このように、コア層３０ａの樹脂の射出をスキン層３０ｂの樹脂より僅かに早く完了することによって、コア層３０ａの樹脂を円環状に露出させることができる。
【００２３】
前記コア層３０ａに使用する材料は、特に限定されるものではなく、スキン層と相溶性のある樹脂であればよい。例えば、ポリオレフィン系樹脂の各種再生プラスチック材を使用することができる。また、無発泡樹脂であると発泡樹脂であるとを問わないが、発泡樹脂を使用するには、発泡倍率が１．０５〜１．５であることが好ましい。
【００２４】
また、コア層３０ａはスキン層３０ｂによってサンドイッチ状に被覆されているから、再生プラスチック材を使用することができる。再生プラスチック材は、射出成型可能な樹脂であれば、印刷インキ、加硫ゴムの粉等が混入したものや、木粉や紙粉、その他の繊維、あるいは炭酸カルシウム等の充填材入り樹脂等であってもよい。また、スキン層３０ｂは、無発泡樹脂であると発泡樹脂であるとを問わない。スキン層を無発泡樹脂により形成した場合には、表面を平滑にすることができ、汚れ難いパレットとすることができ、汚れた場合でも汚れを容易に落とすことができる。
【００２５】
また、スキン層のみを耐候性を向上させたり、所望のカラーとすることによって、耐候性薬品、顔料等の使用量を少なくすることができ、コストダウンを図ることができる。
【００２６】
尚、天板２３の下面に設ける補強リブの構造についてはその説明を省略したが、パレットの端面に平行な格子状リブに限らず、パレットの端面に斜め方向に設けたリブであってもよく、またこれらを組合せたリブであってもよい。また、上記実施形態では、四方差しパレットについて説明したが、四方差しパレットに限らず二方差しパレットであっても適宜適用することができる。さらに、本願発明は、パレットに限定されるものではなく、各種プラスチック成型品に応用することができる。
【図面の簡単な説明】
【００２７】
【図１】この発明を応用したプラスチック製パレットの一例を示す斜視図である。
【図２】ゲート部においてコア層を円形状に露出させた場合の要部を示し、図２（ａ）が平面図、図２（ｂ）が断面図である。
【図３】ゲート部においてコア層を円環状に露出させた場合の要部を示し、図３（ａ）が平面図、図３（ｂ）が断面図である。
【図４】コア層とスキン層の射出速度と射出圧力の関係を示すグラフである。
【図５】金型内におけるコア層とスキン層の樹脂の充填前の説明用断面図である。
【図６】金型内におけるスキン層を充填した状態の説明用断面図である。
【図７】金型内におけるコア層とスキン層の樹脂の流れを示す説明用断面図である。
【符号の説明】
【００２８】
１０：プラスチック製パレット
１１：上部成型部材
１３：下部成型部材
１５：上部デッキボード
１７ａ，１７ｂ，１７ｃ：桁
１９：下部デッキボード
２０ａ，２０ｂ，２０ｃ：桁
２１：フォーク差込口
２３：天板
２７，２８，２９：透孔
３０：ゲート部
３０ａ：コア層
３０ｂ：スキン層
３３：金型
【図１】
2005212122.tif 000003
【図２】
2005212122.tif 000004
【図３】
2005212122.tif 000005
【図４】
2005212122.tif 000006
【図５】
2005212122.tif 000007
【図６】
2005212122.tif 000008
【図７】
2005212122.tif 000009